(57)【要約】【課題】  棚板を直交するように配置した場合に棚板が直交するコーナ部が利用しやすく、且つ組み立てが容易な家具を提供する。【解決手段】  本発明の家具１において、各支持枠３、５は棚板７、８の奥行き寸法以上の間隔を設けて配置した竪枠１１、１３間を上下の横枠１５、１７で連結したものであり、取付ブラケット１０は一方の棚板７における前後の端面７ｂ、７ｂと他方の棚板８における一方の棚板の反対側に位置する端面８ａとに各々取り付けてあり、各取付ブラケット１０に設けた係止フック２９ａを各竪枠１１、１３の係止孔１９の下縁１９ａに係止してあり、コーナブラケット９は、一方の棚板７における他方の棚板８側に位置する側面７ａに固定する一方側ブラケット４１と、他方の棚板８における一方の棚板７側に位置する端面８ｂに固定する他方側ブラケット４３とから構成してあり、一方側ブラケット４１と他方側ブラケット４３が互いに上下に係合している。【選択図】      図１
2005160892.tif 000002
【特許請求の範囲】
【請求項１】
前後方向に設ける一方の棚板と、左右方向に設ける他方の棚板と、一方の棚板を支持する一方の支持枠と、他方の棚板を支持する他方の支持枠と、取付ブラケットと、コーナブラケットとを備え、各支持枠は棚板の奥行き寸法以上の間隔を設けて配置した竪枠間を上下の横枠で連結したものであり、各竪枠は係止孔を有し、取付ブラケットは一方の棚板における前後の端面と他方の棚板における一方の棚板の反対側に位置する端面とに各々取り付けてあり、各取付ブラケットに設けた係止フックを各竪枠の係止孔の下縁に係止してあり、コーナブラケットは、一方の棚板における他方の棚板側に位置する側面に固定する一方側ブラケットと、他方の棚板における一方の棚板側に位置する端面に固定する他方側ブラケットとから構成してあり、一方側ブラケットと他方側ブラケットが互いに上下に係合し合うことを特徴とする家具。
【発明の詳細な説明】
【技術分野】
【０００１】
本発明は、棚等の家具に関する。
【背景技術】
【０００２】
特許文献１には、棚板を左右方向に設け、棚板における左右方向の端面を支持枠に取り付けた棚（家具）が開示されている。
【０００３】
【特許文献１】特開平５−１８３２７号公報
【発明の開示】
【発明が解決しようとする課題】
【０００４】
ところで、特許文献１の棚を２つ並べて互いに直交するように配置した場合、２つの棚が直交するコーナ部では、棚板を取り付けた支持枠が邪魔になってコーナ部が利用し難いという問題がある。
【０００５】
そこで、本発明は、棚板を直交するように配置した場合に棚板が直交するコーナ部が利用しやすく、且つ組み立てが容易な家具の提供を目的とする。
【課題を解決するための手段】
【０００６】
請求項１に記載の発明は、前後方向に設ける一方の棚板と、左右方向に設ける他方の棚板と、一方の棚板を支持する一方の支持枠と、他方の棚板を支持する他方の支持枠と、取付ブラケットと、コーナブラケットとを備え、各支持枠は棚板の奥行き寸法以上の間隔を設けて配置した竪枠間を上下の横枠で連結したものであり、各竪枠は係止孔を有し、取付ブラケットは一方の棚板における前後の端面と他方の棚板における一方の棚板の反対側に位置する端面とに各々取り付けてあり、各取付ブラケットに設けた係止フックを各竪枠の係止孔の下縁に係止してあり、コーナブラケットは、一方の棚板における他方の棚板側に位置する側面に固定する一方側ブラケットと、他方の棚板における一方の棚板側に位置する端面に固定する他方側ブラケットとから構成してあり、一方側ブラケットと他方側ブラケットが互いに上下に係合し合うことを特徴とする。
【発明の効果】
【０００７】
請求項１に記載の発明によれば、一方の棚板を前後方向に設け他方の棚板を左右方向に設けて、一方の棚板と他方の棚板とを直交して配置した場合に、一方と他方の棚板が直交したコーナ部では支持枠を用いずに一方の棚板と他方の棚板とを連結するので支持枠が邪魔になることがなく、コーナ部が利用しやすい。
一方の棚板と他方の棚板を連結するコーナブラケットは、一方側ブラケットと、他方側ブラケットを互いに上下に係合する構成であるから、組み立てが容易である。
【発明を実施するための最良の形態】
【０００８】
以下に、添付図面を参照して本発明の実施の形態を説明する。図１は本実施の形態にかかる家具の図であり、（ａ）は平面図であり、（ｂ）は（ａ）のＡ―Ａ断面図であり、図２は図１（ａ）で示すＢ部の横断面図であり、図３は図１（ａ）のＣ−Ｃ断面図であり、図４は一方側ブラケットの図であり、（ａ）は正面図であり、（ｂ）は上面図であり、（ｃ）は側面図であり、図５は他方側ブラケットの図であり、（ａ）は正面図であり、（ｂ）は底面図であり、（ｃ）は側面図であり、図６は取付ブラケットを構成する端面ブラケットの図であり、（ａ）は正面図であり、（ｂ）は上面図であり、（ｃ）は側面図であり、図７は図１に示す家具の図であり、（ａ）は正面図であり、（ｂ）は側面図である。尚、図３において、一点鎖線で抜き出して示すのは係止フックが竪枠の係止孔に係止した部分を切断して示す縦断面図である。
本発明の第１実施の形態にかかる家具１は組み立て式の棚であり、前後方向に設ける一方の棚板７と、左右方向に設ける他方の棚板８と、一方の棚板７を支持する一方の支持枠３、３と、他方の棚板８を支持する他方の支持枠５と、取付ブラケット１０と、コーナブラケット９とを備えており、一方の棚板７と他方の棚板８とで直交したコーナ部を形成している。
一方の支持枠３、３は、前後方向に設けた一方の棚板７の両端面（前後方向の端面）にそれぞれ取り付けてあり、他方の支持枠５は、他方の棚板８において一方の棚板７と反対側に位置する端面８ａ（以下、「一端面」とする）に取り付けてある。
一方の支持枠３及び他方の支持枠５は同じ構成であり、それぞれ棚板７、８の幅寸法以上の間隔を設けて配置した一方の竪枠１１と他方の竪枠１３と、一方及び他方の竪枠１１、１３を繋ぐ上横枠１５と下横枠１７とから構成されている。
一方の竪枠１１と他方の竪枠１３は同じ形状の形材であり、一方の竪枠１１と他方の竪枠１３には、上下に所定間隔を開けて複数の係止孔１９が２列になって形成されている。
一方の棚板７と他方の棚板８は同じ構成であり、それぞれ一方板２１、他方板２３とから構成してあり、一方板２１と他方板２３とは水平軸２５により回動自在に連結してあり、一方板２１の下面２１ｂと他方板２３の下面２３ｂが接近するように折り畳み自在になっている。また、一方板２１と他方板２３との連結部には指詰め防止凹部２７が形成されており、棚板７、８を回動して折り畳むときの指詰めが防止されている。
取付ブラケット１０は一方の棚板７における前後の端面７ｂ、７ｂと、他方の棚板８の一端面８ａとに各々取り付けてあり且つ係止フック２９ａを有している。本実施の形態では、取付ブラケット１０は２つの端面ブラケット２９、２９とから構成されている。即ち、一方の棚板７において、一方板２１の前後端面には、取付ブラケット１０を構成する端面ブラケット２９が取り付けてあり、同様に他方板２３の前後端にも端面ブラケット２９が取り付けてある。各端面ブラケット２９に設けられた係止フック２９ａは、それぞれ一方の竪枠１１と他方の竪枠１３の係止孔１９の下縁１９ａに係止されている。
取付部ラケット１０には指詰め防止凹部３１が形成されており、棚板７、８を構成する一方板２１と他方板２３の回動とともに取付ブラケット１０を回動して折り畳むときの指詰めが防止されている。
他方の棚板８の一端面８ａにおいて、一方板２１と他方板２３の各々には、上述した一方の棚板７と同様の端面ブラケット２９が取り付けてある。
コーナブラケット９は、互いに係合する一方側ブラケット４１と他方側ブラケット４３とから構成されている。
一方側ブラケット４１は、一方の棚板７との固定部４５と、他方側ブラケット４３との係合部４７とを備えており、固定部４５はネジ挿通孔４９に挿通したネジ５１で一方の板材７の側面７ａに固定している。係合部４７は長手方向に上方に突設し、固定部５３との間に上方に開口した溝５２を形成している。
他方ブラケット４３は、他方の棚板８の一方板２１と他方板２３との各々に取り付けてあり、各他方側ブラケット４３は他方の棚板８との固定部５３と、一方側ブラケット４３との被係合部５５とを備えており、固定部５３はネジ挿通孔５７に挿通したネジ５９で他方の棚板８の一方側棚板７側に位置する端面（以下「他端面」という）８ｂに固定している。被係合部５５は長手方向に下方に向けて突設し、固定部５３との間に溝５４を形成している。
一方側ブラケット４１の係合部４７が他方側ブラケット４３の溝５４内に下方から配置され且つ他方側ブラケット４３の被係合部５５が一方側ブラケット４１の溝５２内に上方から配置され、一方側ブラケットの係合部４７と他方側ブラケットの被係合部５５とが上下に係合して固定されている。
【０００９】
次に、本実施の形態にかかる家具１の組み立て及び作用効果について説明する。
家具１の組み立ては、まず、一方の棚板７の前後の端面７ｂ、７ｂには、一方板２１と他方板２３との各々に端面ブラケット２９を取り付け、一方の棚板７の側面７ａに一方側ブラケット４１をネジ５１で固定しておく。また、他方の棚板８の一端面８ａにも、各一方板２１と他方板２３との各々に端面ブラケット２９を取り付け、他方の棚板８の他端面８ｂには、各一方板２１と他方板２３との各々に各他方側ブラケット４３をネジ５９で固定する。
次に、一方の棚板７を前後方向に設け、他方の棚板８を左右方向に設けて一方の棚板７と他方の棚板８とを直交するように配置し、前後にある一方の支持枠３、３に一方の棚板７の前後端に設けた取付ブラケット１０を取り付け、他方の支持枠５に他方の棚板８の一端面８ａに設けた取付ブラケット１０を取り付け、他方の棚板８の他端面８ｂと一方の棚板７の側面７ａとをコーナブラケット９で連結する。
一方の支持枠３、３への一方の棚板７の取り付けは、一方の支持枠３、３間に、一方板２１と他方板２３を近接するように折り畳んだ一方の棚板７を配置して（図３に二点鎖線で示す）、折り畳んだ一方の棚板７を広げ、一方の棚板７に取り付けてある取付ブラケット１０の係止フック２９ａを竪枠１１、１３にある係止孔１９の下縁１９ａに係止する。
尚、一方の支持枠３、３に一方の棚板７を取り付けた後、一方の棚板７における他方の棚板８側に位置する側面７ａに一方側ブラケット４１をネジ５１で固定する。
他方の棚板８と他方の支持枠５との取り付けは、一方板２１と他方板２３を近接するように折り畳んだ他方の棚板８を広げ、他方の棚板８の一端面８ａに取り付けてある取付ブラケット１０の係止フック２９ａを、他方の支持枠５の竪枠１１、１３にある係止孔１９の下縁１９ａに係止する。
コーナブラケット９による一方の棚板７と他方の棚板８との連結は、他方の棚板８の一端面８ａを折り畳んだ状態から開いて他方の支持枠５に取り付けるときに、同時に又は他方の支持枠５に取り付けた後に、他方の棚板８の他端面８ｂに設けた他方側ブラケット４３、４３を一方の棚板７の側面７ａに固定した一方側ブラケット４１に上方から係合し、係合部４７と被係合部５５とを係合固定する。
【００１０】
本実施の形態によれば、隣合う一方の棚板７と他方の棚板８とが直交してコーナ部を形成し、コーナ部ではコーナブラケット９が一方の棚板７と他方の棚板８とを連結するのでコーナ部に支持枠が必要なく、支持枠が邪魔になることがないのでコーナ部を利用しやすい。
コーナブラケット９は、一方側ブラケット４１と他方側ブラケット４３を互いに上下から係合する構成であるから、構成が簡易であり且つ組み立てが容易である。
また、コーナブラケット９における一方側ブラケット４１と他方側ブラケット４３との係合は、他方の棚板８を折り畳んだ状態から開いて他方の支持枠５への取り付けと同時に一方側ブラケット４１に上方から係合できるので、一方の棚板７と他方の棚板８との連結が簡単にできる。
一方の棚板７は折り畳んで小さくして一方の支持枠３、３間に配置し、次に棚板７を広げることにより支持枠３、３間に係止できるので、一方の棚板７を一枚板にして一方の支持枠３、３間に取り付ける場合に比較して、一方の支持枠３、３間に容易に配置でき組み立て作業がしやすい。
左右にある一方の支持枠３、３は一方及び他方板２１、２３で各々繋いであり、一方の棚板７と他方の棚板８とはコーナブラケット９で繋いであるので、一方の棚板７及び他方の棚板８をそれぞれ一方及び他方の板材２１、２３を回動して折り畳み自在としても、従来技術のような左右にある一方の支持枠３、３どうし及び一方の支持枠３と他方の支持枠５とを横枠や台枠に固定しないで済み、組み立てが簡単である。
一方の棚板７及び他方の棚板８はそれぞれ、一方板２１と他方板２３とを回動自在に連結してあるので、組み立て前には一方板２１と他方板２３とを折り畳んで小さくできるので、運搬が容易である。
【００１１】
本発明は、上述した実施の形態に限らず、本発明の要旨を逸脱しない範囲で種々変形可能である。
例えば、図８（ａ）に示すように、一方の棚板７と他方の棚板８とはＴ字状に配置するものであってもよいし、図８（ｂ）に示すように、図１に示す家具全体を９０度回転させた位置に配置するものであってもよいし、図８（ｃ）に示すように、図８（ａ）のＴ字を構成する一方の棚板７と他方の棚板８とを９０度回転させた位置に配置するものであってもよい。
一方側ブラケット４１は、一方の棚板７を一方の支持枠３、３に取り付けた後に、一方の棚板７の側面７ａに取り付けてもよい。
一方及び他方の棚板７、８は、前後の棚板材２１、２３を折り畳み自在に構成することに限らず、一枚板としてもよいし、更に、取付ブラケット１０は前後に係止フック２９ａを有するものであれば一枚の板材としてもよい。また、他方の棚板８を一枚板とした場合には、他方側ブラケット４３は棚板８の奥行き寸法の長さを有するものを一つ取り付けるものであってもよい。
家具は棚に限らず、キャビネット等であってもよい。
【図面の簡単な説明】
【００１２】
【図１】本実施の形態にかかる家具の図であり、（ａ）は平面図であり、（ｂ）は（ａ）のＡ―Ａ断面図である。
【図２】図１（ａ）に示すＢ部の横断面図である。
【図３】図１（ａ）のＣ−Ｃ断面図である。
【図４】一方側ブラケットの図であり、（ａ）は正面図であり、（ｂ）は上面図であり、（ｃ）は側面図である。
【図５】他方側ブラケットの図であり、（ａ）は正面図であり、（ｂ）は底面図であり、（ｃ）は側面図である。
【図６】取付ブラケットを構成する端面ブラケットの図であり、（ａ）は正面図であり、（ｂ）は上面図であり、（ｃ）は側面図である。
【図７】図１に示す家具の図であり、（ａ）は正面図であり、（ｂ）は側面図である。
【図８】他の実施の実施の形態にかかる家具１を示す図であり、（ａ）〜（ｃ）は各実施の形態にかかる家具１の平面図である。
【符号の説明】
【００１３】
１      家具
３      一方の支持枠
５      他方の支持枠
７      一方の棚板
７ａ    側面（他方の棚板８側に位置する側面）
８      他方の棚板
８ａ    一端面（一方の棚板７の反対側に位置する端面）
８ｂ    他端面（一方の棚板７側に位置する端面）
９      コーナブラケット
１０    取付ブラケット
１１    一方の竪枠
１３    他方の竪枠
１５    上横枠
１７    下横枠
１９    係止孔
１９ａ  下縁
２９ａ  係止フック
４１    一方側ブラケット
４３    他方側ブラケット
４７    係合部
５５    被係合部
【図１】
2005160892.tif 000003
【図２】
2005160892.tif 000004
【図３】
2005160892.tif 000005
【図４】
2005160892.tif 000006
【図５】
2005160892.tif 000007
【図６】
2005160892.tif 000008
【図７】
2005160892.tif 000009
【図８】
2005160892.tif 000010